(57)【要約】  【課題】蒸発性能の良い蒸発シートを有する蒸発装置とこれを備えたコンデンシングユニットを提供するものである。  【解決手段】一定間隔で並行に並べられ、その間を気流４が流動し、下端をドレン水に水没する複数の蒸発シート６からなる第１蒸発装置５において、蒸発シート６の一部をシート面に平行に持ち上げたスリット群８を備え、これによって、スリット群８の前縁効果により空気中水分の濃度境界層厚さが薄くなるので、物質伝達率を向上させることができる蒸発装置を提供できるものである。【選択図】図１
2007101150.tif 000002
【特許請求の範囲】
【請求項１】
一定間隔で並行に並べられ、その間を気流が流動し、下端をドレン水に水没する複数の蒸発シートからなる蒸発装置において、前記蒸発シートの一部をシート面に平行に持ち上げたスリットを有する蒸発装置。
【請求項２】
一定間隔で並行に並べられ、その間を気流が流動し、下端をドレン水に水没する複数の蒸発シートからなる蒸発装置において、前記蒸発シートを波板形状とした蒸発装置。
【請求項３】
圧縮機と、凝縮器と、凝縮用ファンと、請求項１または請求項２に記載の蒸発装置を備えたコンデンシングユニット。
【発明の詳細な説明】
【技術分野】
【０００１】
本発明は、冷凍冷蔵ショーケースの下部機械室に設置されるコンデンシングユニットに係り、更に詳しくは冷凍冷蔵ショーケースの除霜水を蒸発させる蒸発装置を備えたコンデンシングユニットに関する。
【背景技術】
【０００２】
従来の冷凍冷却ショーケースでは、凝縮用ファンからの温風と過熱冷媒が流れるホットパイプによってドレン水を蒸発させる仕組みであり、ホットパイプの配置を考慮してユニット室の構成が制限される問題がある。この問題に対し、導入されるドレン水の全てを温風によって蒸発させるだけの蒸発面積を有した蒸発装置を備えることにより、ホットパイプを省略したコンデンシングユニットが知られている（例えば、特許文献１参照）。
【０００３】
かかるコンデンシングユニットにおいて、図６は、特許文献１に記載された従来のコンデンシングユニットに備えられた蒸発装置の概略構成図である。
【０００４】
図６において、蒸発シート１は平板形状を有しており、蒸発シート１の下端は蒸発皿３に溜まっているドレン水に浸漬されている。蒸発装置２は複数の蒸発シート１を一定間隔で並べ、その間を凝縮用ファン（図示せず）からくる温風４が流動する構造である。
【０００５】
以上のように構成された蒸発装置について、以下その動作、作用を説明する。
【０００６】
冷凍冷却ショーケースの蒸発器（図示せず）で発生したドレン水は、蒸発装置２に導入されて蒸発される。蒸発装置２は、上面開口の蒸発皿３内に導入されたドレン水を従来蒸発シート２の毛細管作用によって吸い上げて、蒸発皿３上方の凝縮用ファンからくる温風４に気化蒸発させる。
【特許文献１】特開２００３−１０６７４７号公報
【発明の開示】
【発明が解決しようとする課題】
【０００７】
しかしながら、上記従来の構成において、蒸発シート１は平板形状を有しているので、温風４の流れ方向に従って蒸発シート表面での空気中水分の濃度境界層厚さが厚くなり、ドレン水が気化蒸発する性能（物質伝達率）が低下する。蒸発導入されるドレン水の全てを蒸発させるだけの蒸発面積を有するためには、より多くの蒸発シート１が必要となり、蒸発装置２の大型化につながり、冷凍冷却ショーケース用コンデンシングユニット室の構成が制限されるという課題を有していた。
【０００８】
本発明は、上記従来の課題を解決するもので、蒸発性能の良い蒸発シートを有する蒸発装置とこれを備えたコンデンシングユニットを提供することを目的とする。
【課題を解決するための手段】
【０００９】
上記従来の課題を解決するために、本発明の蒸発装置は、一定間隔で並行に並べられ、その間を気流が流動し、下端をドレン水に水没する複数の蒸発シートからなる蒸発装置において、前記蒸発シートの一部をシート面に平行に持ち上げたスリットを備えたものからなる。
【００１０】
これによって、スリットの前縁効果により空気中水分の濃度境界層厚さが薄くなるので、物質伝達率を向上させることができる。
【発明の効果】
【００１１】
本発明の蒸発装置は、蒸発シート表面からドレン水が気化蒸発する性能を向上させることができる。
【００１２】
また、本発明のコンデンシングユニットは、蒸発シートの気化蒸発性能の向上による蒸発装置のコンパクト化が図られるため、蒸発装置によるコンデンシングユニットの構成の制限がなくなる効果がある。
【発明を実施するための最良の形態】
【００１３】
請求項１に記載の発明は、一定間隔で並行に並べられ、その間を気流が流動し、下端をドレン水に水没する複数の蒸発シートからなる蒸発装置において、前記蒸発シートの一部をシート面に平行に持ち上げたスリットを備えた構成とすることにより、スリットの前縁効果により空気中水分の濃度境界層厚さが薄くなるので、物質伝達率が向上し、蒸発シート表面からドレン水が気化蒸発する性能が向上する。
【００１４】
請求項２に記載の発明は、一定間隔で並行に並べられ、その間を気流が流動し、下端をドレン水に水没する複数の蒸発シートからなる蒸発装置において、前記蒸発シートを波板形状とした構成とすることにより、空気中水分の濃度境界層厚さが薄くなることにより物質伝達率が向上し、蒸発シート表面からドレン水が気化蒸発する性能が向上するだけでなく、シート面に平行に持ち上げたスリットのものに対して、蒸発シートの形状加工が比較的容易になる。
【００１５】
請求項３に記載の発明は、圧縮機と、凝縮器と、凝縮用ファンと、蒸発シートの一部をシート面に平行に持ち上げたスリットを有する蒸発装置、または蒸発シートを波板形状とした蒸発装置をコンデンシングユニットに備えた構成とすることにより、平板形状を有している蒸発シートに対して気化蒸発性能が良い蒸発装置となるので、蒸発装置のコンパクト化が図られ、コンデンシングユニットの蒸発装置による構成の制限がなくなる効果がある。
【００１６】
以下、本発明の実施の形態について、図面を参照しながら説明する。なお、この実施の形態によってこの発明が限定されるものではない。
【００１７】
（実施の形態１）
図１は、本発明の実施の形態１における蒸発装置の斜視図、図２は、同実施の形態における蒸発装置の蒸発シートの平面図、図３は、図２のＡ−Ａ’線断面図を示したものである。図４は、同実施の形態におけるコンデンシングユニットの概略構成図である。
【００１８】
なお、この実施形態の発明は、背景技術と同一構成および作用を奏する部分には同じ符号を付して詳細な説明を省き、異なる部分を中心に説明する。
【００１９】
図１から図３において、第１蒸発装置５は、複数のスリット付き蒸発シート６を一定間隔で並行に並べられ、複数のスリット付き蒸発シート６の間を凝縮ファン（図示なし）からくる温風４が流動し、複数のスリット付き蒸発シート６の下端を蒸発皿３内に導入されたドレン水（図示なし）に浸漬する構成である。スリット付き蒸発シート６は蒸発シートの一部をシート面に平行に持ち上げたスリット群８を備えたものである。
【００２０】
以上のように構成された第１蒸発装置５について、以下その動作、作用を説明する。
【００２１】
冷凍冷却ショーケースの蒸発器（図示なし）で発生したドレン水は、第１蒸発装置５に導入されて蒸発される。第１蒸発装置５は、上面開口の蒸発皿３内に導入されたドレン水を複数のスリット付き蒸発シート６の毛細管作用によって吸い上げて、蒸発皿３上方の凝縮用ファンからくる温風４に気化蒸発させる。スリット付き蒸発シート６のスリット群８の前縁効果により空気中水分の濃度境界層厚さが薄くなるので、物質伝達率が向上し、蒸発シート表面からドレン水が気化蒸発する性能が向上する。
【００２２】
図４において、コンデンシングユニットＣＤＵは、圧縮機９と、凝縮器１０と、凝縮用ファン１１と、第１蒸発装置５を備えたものであり、冷凍冷却ショーケース等の冷却機器に組み込まれたものである。
【００２３】
以上のように構成されたコンデンシングユニットについて、以下その動作、作用を説明する。
【００２４】
冷凍冷却ショーケースの蒸発器で発生したドレン水は、凝縮用ファン１１からくる温風４により第１蒸発装置５で気化蒸発する。第１蒸発装置５はスリット群８を備えたスリット付き蒸発シート６を備えているので、背景技術に比べ、蒸発シート表面からのドレン水の気化蒸発性能が向上できる。その結果、第１蒸発装置５のコンパクト化が図られ、コンデンシングユニットＣＤＵの第１蒸発装置５による構成の制限がなくなる効果がある。
【００２５】
以上のように、本実施の形態においては、蒸発シートの一部をシート面に平行に持ち上げたスリット群８を備えたスリット付き蒸発シート６を備えているので、背景技術の様な温風４の流れ方向に従って蒸発シート表面での空気中水分の濃度境界層厚さが厚くなることを防ぎ、蒸発シート表面からドレン水が気化蒸発する性能が向上させることができる。
【００２６】
また、コンデンシングユニットＣＤＵは、圧縮機９と、凝縮器１０と、凝縮用ファン１１と、第１蒸発装置５を備えているので、第１蒸発装置５のコンパクト化が図られ、コンデンシングユニットＣＤＵの第１蒸発装置５による構成の制限がなくなる効果がある。
【００２７】
なお、本実施の形態では、コンデンシングユニットＣＤＵを例に説明したが、コンデンシングユニットＣＤＵに蒸発器を加えた冷却ユニットであっても同様の作用を有することは言うまでもない。
【００２８】
（実施の形態２）
図５は、本発明の実施の形態２における蒸発装置の概略構成図である。
【００２９】
なお、この実施形態の発明は、背景技術や実施の形態１と同一構成および作用を奏する部分には同じ符号を付して詳細な説明を省き、異なる部分を中心に説明する。
【００３０】
図５において、第２蒸発装置１２は、波板形状とした複数のコルゲート状蒸発シート１３を一定間隔で並行に並べ、複数のコルゲート状蒸発シート１３間を凝縮ファン（図示なし）からくる温風４が流動し、複数のコルゲート状蒸発シート１３の下端を蒸発皿３内に導入されたドレン水（図示なし）に浸漬する構成である。
【００３１】
以上のように構成された第２蒸発装置１２について、以下その動作、作用を説明する。
【００３２】
第２蒸発装置１２のコルゲート状蒸発シート１３を波板形状としたことにより、空気中水分の濃度境界層厚さが薄くなる。よって、コルゲート状蒸発シート１３から気流４への水分の物質伝達率が向上し、コルゲート状蒸発シート１３表面からドレン水が気化蒸発する性能が向上するだけでなく、実施の形態１のスリット付き蒸発シート６に対して、蒸発シートの形状加工が比較的容易になる。
【００３３】
なお、本実施の形態では、蒸発装置のみ説明したが、コンデンシングユニットＣＤＵや冷却ユニットに適用しても実施の形態１と同様にコンパクト化が図られることは言うまでもない。
【産業上の利用可能性】
【００３４】
以上のように、本発明にかかる蒸発装置およびこれを備えたコンデンシングユニットは、蒸発性能の良い蒸発シートを有しているので、ドレン水の気化蒸発の高性能化を要求されるさまざまな形態のコンデンシングユニットや冷却ユニットに対して広く適用できる。
【図面の簡単な説明】
【００３５】
【図１】本発明の実施の形態１における蒸発装置の斜視図
【図２】同実施の形態における蒸発装置の蒸発シートの平面図
【図３】図２のＡ−Ａ’線断面図
【図４】同実施の形態におけるコンデンシングユニットの概略構成図
【図５】本発明の実施の形態２における蒸発装置の概略構成図
【図６】従来の蒸発装置の概略構成図
【符号の説明】
【００３６】
５    第１蒸発装置
６    スリット付き蒸発シート
８    スリット群
９    圧縮機
１０  凝縮器
１１  凝縮用ファン
１２  第２蒸発装置
１３  コルゲート状蒸発シート
ＣＤＵ  コンデンシングユニット
【図１】
2007101150.tif 000003
【図２】
2007101150.tif 000004
【図３】
2007101150.tif 000005
【図４】
2007101150.tif 000006
【図５】
2007101150.tif 000007
【図６】
2007101150.tif 000008